(57)【特許請求の範囲】
【請求項１】
基盤上に４本の支柱を立て、これら支柱の上端及び中途の数箇所を梁材で連結して、建物の躯体とは独立して自立できる縦長枠のエレべータシャフトが構成され、このエレべータシャフトの枠内で平面三角形の三頂点に位置する配置関係にして３本の昇降案内レールが前記梁材に支持して垂直に設立され、エレベータケージを載置した三角形の枠体であるエレベータ架台が、その三点の角部を前記３本の昇降案内レールに滑動自在に支承することにより、これら３本の昇降案内レール間に昇降自在に装架されるとともに、前記昇降案内レールのそれぞれ中に２本ずつ通した３組の昇降用チェーンにより３点で懸垂され、その各点の懸垂は、各昇降案内レールを通ってきた２本ずつの昇降用チェーンを、前記エレべータシャフトの上端から下へ２番目の梁材上に設置されたダブルの架台懸垂用スプロケットホイール、駆動用スプロケットホイール、ウェイト懸垂用スプロケットホイールを経由して、該ウェイト懸垂用スプロケットホイールから懸垂されるカウンタウェイトに接続して行われ、前記駆動用スプロケットホイールを固着した３組共通の駆動軸を、前記２番目の梁材上に設置された昇降用モータにて回転させることにより、エレベータケージを載置したエレベータ架台が３組の昇降用チェーンと共に３本の昇降案内レールに案内されて昇降され、それに伴いカウンタウェイトも昇降するようになっていることを特徴とするエレベータ装置。
【発明の詳細な説明】
【０００１】
【発明の属する技術分野】
本発明は、エレベータケージをチェーンで懸垂して昇降させる一般の低層住宅向きのエレベータ装置に関する。
【０００２】
【従来の技術】
この種のエレベータ装置の一つとして特開平１０−３２４４７８号公報に記載されたものがある。このエレベータ装置では、両側面に案内溝を有する１本のガイド支柱を建物内に立て、エレベータケージ（乗りかご）の背面に、ローラとチェーン装着部を有する係合装置を設け、そのローラを、ガイド支柱の両側面の案内溝内に転動可能に嵌合させることで、エレベータケージを１本のガイド支柱に片持ち支持し、無端状の駆動チェーンの循環動によりエレベータケージをガイド支柱に沿って昇降させるようになっている。
【０００３】
【発明が解決しようとする課題】
しかし、これによると、エレベータケージを、その背面で１本のガイド支柱に係合装置を介して片持ち支持しているため、エレベータケージの重量を片側だけで支える不安定な支持構造となり、エレベータケージの積載重量が増すに従い不安定さが増大する。そのため、ガイド支柱及び係合装置を堅牢にしなければならず、その分、却ってこれらの構造が複雑になる。また、建物の躯体とは独立したエレベータ装置ではないので、建物の躯体部分に負荷がかかる等の問題がある。
【０００４】
そこで、本発明の目的は、エレベータケージを、常に安定したしかも安全性の高い支持状態で昇降させることができるとともに、構造を単純化でき、また建物の躯体とは独立させて躯体部分への負荷を回避できる、一般の低層住宅向きのエレベータ装置を提供することにある。
【０００５】
【課題を解決するための手段】
本発明のエレベータ装置は次のような構造になっている。
(a)基盤上に４本の支柱を立て、これら支柱の上端及び中途の数箇所を梁材で連結して、建物の躯体とは独立して自立できる縦長枠のエレべータシャフトが構成されている。
(b)このエレべータシャフトの枠内で平面三角形の三頂点に位置する配置関係にして３本の昇降案内レールが梁材に支持して垂直に設立されている。
(c)エレベータケージを載置した三角形の枠体であるエレベータ架台が、その三点の角部を３本の昇降案内レールに滑動自在に支承することにより、これら３本の昇降案内レール間に昇降自在に装架されるとともに、昇降案内レールのそれぞれ中に２本ずつ通した３組の昇降用チェーンにより３点で懸垂されている。
(d)その各点の懸垂は、各昇降案内レールを通ってきた２本ずつの昇降用チェーンを、エレべータシャフトの上端から下へ２番目の梁材上に設置されたダブルの架台懸垂用スプロケットホイール、駆動用スプロケットホイール、ウェイト懸垂用スプロケットホイールを経由して、該ウェイト懸垂用スプロケットホイールから懸垂されるカウンタウェイトに接続して行われている。
(e)駆動用スプロケットホイールを固着した３組共通の駆動軸を、上端から２番目の梁材上に設置された昇降用モータにて回転させることにより、エレベータケージを載置したエレベータ架台が３組の昇降用チェーンと共に３本の昇降案内レールに案内されて昇降され、それに伴いカウンタウェイトも昇降するようになっている。
【０００６】
【発明の実施の形態】
次に、本発明の実施の形態を図面に基づいて詳細に説明する。
【０００７】
図１〜図７に示すように、このエレベータ装置のエレべータシャフト１は、基盤２上に４本の支柱３を正方形の４点に位置する配置関係にして垂直に立て、これら４本の支柱３の上端及び中途の数箇所を梁材４及びブレース５で連結して、建物の躯体とは独立して自立できる縦長枠としたものである。
【０００８】
このエレべータシャフト１の枠内には、鍔付き溝形の型材である３本の昇降案内レール６が、平面三角形の三頂点に位置する配置関係にして梁材４に支持して垂直に設立されている。
【０００９】
これら３本の昇降案内レール６間に、エレベータ架台７が次のように昇降自在に装架されている。
すなわち、エレベータ架台７は、Ｉ型鋼又はＨ型鋼を枠組みした図６に示すような三角形の枠体であって、その三点の角部に軸支したローラ８を、３本の昇降案内レール６の溝内にそれぞれ転動自在に嵌合させることにより、つまり三点の角部を３本の昇降案内レール８に滑動自在に支承することにより、これら昇降案内レール６間に昇降自在に装架されている。
【００１０】
図８及び図９に、エレベータ架台７の１点の角部と１本の昇降案内レール６との関係を具体的に示し、他の２点もこれと同じ構造になっている。同図に示すように、ローラ８は、エレベータ架台７上に立てたブラケット（鉄板）９の中途に、ダブルローラにして回転自在に軸支されている。このブラケット９には、チェーン接続金具１０にて昇降用チェーン１１が昇降案内レール６中で接続されている。チェーン１１は、各昇降案内レール６について２本ずつのダブルチェーンとなっており、チェーン接続金具１０のボルト１２をブラケット９の水平な接続部９ａにナット１２ａで緊締することにより、ブラケット９と接続されている。
【００１１】
このようなチェーン１１との接続が３本の昇降案内レール６のそれぞれについて行われていることにより、エレベータ架台７は、昇降案内レール６中を通るチェーン１１にてエレべータシャフト１の上部から３点で懸垂され、チェーン駆動にて昇降される。
【００１２】
図１０及び図１１に、チェーン１１による懸垂構造及び駆動構造を示し、チェーン１１による懸垂及び駆動は、エレべータシャフト１の上端から下へ２番目の梁材４上において行われる。エレベータ架台７のブラケット９から各昇降案内レール６を通ってきた２本ずつのチェーン１１は、ダブルの架台懸垂用スプロケットホイール１３、駆動用スプロケットホイール１４、案内用スプロケットホイール１５、ウェイト懸垂用スプロケットホイール１６を経由してカウンタウェイト１７へ接続されている。
【００１３】
駆動用スプロケットホイール１４は、３組共通の駆動軸１８に固着されている。この駆動軸１８のウォーム１９は、昇降用モータ２０側のウォーム２１と噛み合っているので、３組の駆動用スプロケットホイール１４は昇降用モータ２０の正転又は逆転により同時に回転する。
【００１４】
従って、エレベータ架台７は、３組のチェーン１１により懸垂されて昇降用モータ２０の正転又は逆転により３本の昇降案内レール６に沿って上昇又は下降し、それに伴いカウンタウェイト１７が下降又は上昇する。
【００１５】
このように昇降するエレベータ架台７上に、図３及び図６に仮想線で示すエレベータケージ２２が載置され、エレベータ架台７と共に昇降する。
【００１６】
エレべータシャフト１の基盤２の上面には、エレベータ架台７を下限で緩衝するショックアブソーバ２３が例えば３箇所に設置されている。
【００１７】
【発明の効果】
以上述べたように本発明のエレベータ装置によれば次のような効果がある。
(1)エレベータケージを載置した三角形の枠体であるエレベータ架台の３点の角部を、エレべータシャフトの枠内で平面三角形の三頂点に位置する配置関係にした３本の昇降案内レールに滑動自在に支承したので、チェーンで懸垂した簡略な構造でも、エレベータケージを常に安定した状態で昇降させることができる。
【００１８】
(2)エレべータシャフトは、基盤上に４本の支柱を立て、これら支柱の上端及び中途の数箇所を梁材で連結して、建物の躯体とは独立して自立できる縦長枠であるので、建物の躯体部分への負荷を回避できるとともに、構築も容易である。
【００１９】
(3)エレベータ架台は三角形の枠体であるので、その構造を簡略化できる。
(4)各昇降案内レール中に昇降用チェーンを２本ずつ通してエレベータ架台を懸垂したので、安全性が高い。
【００２０】
(5)エレベータ架台を昇降用チェーンにて懸垂してカウンタウェイトと連結したので、エレベータ架台及びエレベータケージの重量をカウンタウェイトにて相殺又は軽減できる。
【００２１】
(6)エレベータ架台を懸垂するための架台懸垂用スプロケットホイール、昇降駆動するための駆動用スプロケットホイール及び昇降用モータ、カウンタウェイトを懸垂するためのウェイト懸垂用スプロケットホイールを、エレべータシャフトの上端から下へ２番目の梁材上に一括して設置したので、これらのメンテナンスが容易である。
【図面の簡単な説明】
【図１】  本発明の実施例であるエレベータ装置の正面図である。
【図２】  その側面図である。
【図３】  縦断面図である。
【図４】  平面図である。
【図５】  図１におけるＡ−Ａ線位置の横断面図である。
【図６】  同じくＢ−Ｂ線位置の横断面図である。
【図７】  同じくＣ−Ｃ線位置の横断面図である。
【図８】  エレベータ架台の１点の角部と１本の昇降案内レールとの関係を具体的に示す一部分の拡大縦断面図である。
【図９】  同じく拡大横断面図である。
【図１０】  チェーンによる懸垂構造及び駆動構造を示す拡大正面図である。
【図１１】  同じく拡大側面図である。
【符号の説明】
１  エレべータシャフト
２  基盤
３  支柱
４  梁材
５  ブレース
６  昇降案内レール
７  エレベータ架台
８  ローラ
９  ブラケット
９ａ  接続部
１０  チェーン接続金具
１１  昇降用チェーン
１２  ボルト
１２ａ  ナット
１３  架台懸垂用スプロケットホイール
１４  駆動用スプロケットホイール
１５  案内用スプロケットホイール
１６  ウェイト懸垂用スプロケットホイール
１７  カウンタウェイト
１８  駆動軸
１９  ウォーム
２０  昇降用モータ
２１  ウォーム
２２  エレベータケージ
２３  ショックアブソーバ
【図１】
0003736505.tif 000002
【図２】
0003736505.tif 000003
【図３】
0003736505.tif 000004
【図４】
0003736505.tif 000005
【図５】
0003736505.tif 000006
【図６】
0003736505.tif 000007
【図７】
0003736505.tif 000008
【図８】
0003736505.tif 000009
【図９】
0003736505.tif 000010
【図１０】
0003736505.tif 000011
【図１１】
0003736505.tif 000012